【事件の表示】
　特願２００５−３６１０７９「複数のカラムで構成されたグラフィックユーザインターフェースを提供する装置及び方法」拒絶査定不服審判事件〔平成１８年　７月２０日出願公開、特開２００６−１９０２６７〕について、次のとおり審決する。
【結　論】
　本件審判の請求は、成り立たない。
【理　由】
１．手続の経緯
　本願は，平成１７年１２月１４日（パリ条約による優先権主張２００４年１２月３１日，大韓民国）の出願であって，平成２０年５月２６日付けで拒絶査定がなされ，これに対して同年９月１日に拒絶査定に対する審判請求がなされるとともに，同日付けで手続補正がなされ，平成２３年３月１６日付けの当審の拒絶理由通知に対して同年４月５日付けで意見書が提出されるとともに手続補正がなされたものである。
　
２．本願発明
　本願の請求項１に係る発明（以下，「本願発明」という。）は，平成２３年４月５日付けの手続補正書により補正された特許請求の範囲の請求項１に記載された事項により特定される次のとおりのものである。
　
「　【請求項１】
　グラフィックユーザインターフェース上にあるお互い異質的な対象をその目的とする複数のカラムのうち少なくとも一つのカラムの項目を選択するためのセレクターの移動命令または選択命令を受信する命令受信部と，
　前記グラフィックユーザインターフェース上に既に表示されている他のカラムの項目に対する活性化の可否を前記選択されたカラムの項目に応じて決定し，前記選択されたカラムの項目に対して，二つ以上の他のカラムの項目を同時に選択可能に活性化する判断部と，
　前記活性化されたカラムの項目を，前記グラフィックユーザインターフェースを利用して出力するディスプレイ部と，
　出力された前記活性化されたカラムの項目選択に従って命令メッセージを伝達する送受信部と，を備え，
　前記カラムは，作業命令，コンテンツ種類及び対象機器を含む
ことを特徴とする複数のカラムで構成されたグラフィックユーザインターフェースを提供する装置。」
　
３．引用例 
（１）引用例１記載の事項及び引用例１発明
　これに対して，当審において，平成２３年３月１６日付けで通知した拒絶の理由において引用した「特開２００４−１２９１５４号公報」（以下，「引用例１」という。）には，図面とともに，次の（ア）〜（ク）の事項が記載されている。（下線は当審において付加したものである。）
　
（ア）「【０００１】
【発明の属する技術分野】
本発明は，ネットワークを介して接続された複数のＡＶ機器等を制御する機器コントロールシステム，表示装置及び機器コントロールプログラムを記録した記録媒体に関する。」
　
（イ）「【００２３】
図１は，本発明の実施の形態のＡＶ機器コントロールシステムの全体構成を示すブロック図である。本実施の形態に係るＡＶ機器コントロールシステムは，ネットワークシステムとして例えばディジタル放送の電波を受信可能なディジタル放送受信機能を備えたテレビジョン受信機に適用することができる。
【００２４】
本実施の形態に係るＡＶ機器コントロールシステムは，
アイコン，グラフィック，文字等による情報そのものや，この情報を表示させるＧＵＩ機能を有する表示装置を含む複数のＡＶ機器を相互にデジタルインタフェースでデイジーチェーン接続して構成され
【００２５】
図１において，
ＡＶ機器コントロールシステム
ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４規格のデジタルインタフェースで各種機器を接続するネットーク１と，ネットワーク１上に接続されたグラフィク機能及びホスト機能を持つ表示装置１０と，ネットワーク１上に接続された複数のＡＶ機器であるＤ−ＶＨＳ１１，ＤＶＤ（Ｄｉｇｉｔａｌ　Ｖｅｒｓａｔｉｌｅ　Ｄｉｓｃ）１２，ＢＳチューナ１３，アンプ（ＡＭＰ＜１＞）１４，（ＡＭＰ＜２＞）１５とを備えて構成される
　
（ウ）「【００２７】
図２は，上記表示装置１０のＡＶ機器制御機能部の構成を示すブロック図である。
図２において，
表示装置１０
ネットワークリセットを検知するネットワーク監視部２１，各ＡＶ機器からの情報を送受信する通信部２２（通信手段），各ＡＶ機器から送信された識別情報及び入出力情報をデバイスリストとして記憶するデバイスリスト記憶部２３（デバイスリスト記憶手段），操作画面上にグラフィック表示された出力機器及びソース機器から，操作しようとする機器及び操作キーを選択する入力部２４（入力手段），画面上に映像の他にグラフィック表示可能な表示デバイス２５（表示手段），リモコン受光部２６及び上記各構成要素を制御する制御部２７（制御手段）を備えて構成され
【００２８】
通信部２２は，ネットワーク１の他のＡＶ機器とデータのやり取りを行う通信装置であり
　
（エ）「【００３１】
入力部２４は，ユーザからの入力を受け付ける入力操作を行うキーボード及びリモコン装置２８の十字キー等からなる入力装置であり，ＡＶ機器及び操作の選択・実行等の入力を行う
【００３２】
表示デバイス２５は，ユーザに対してユーザインタフェースや映像を表示するＣＲＴやＬＣＤ等の表示画面４０
と，図示しない画像メモリ，ＯＳＤ（オン・スクリーン・ディスプレイ）発生部，コントローラ部とを備えて構成され
　
（オ）「【００３５】
特に，
制御部２７は，ネットワーク１に接続されたＡＶ機器を，少なくとも出力機器とソース機器とに分けて表示デバイス２５の操作画面上にグラフィック表示するとともに，操作画面上で操作されたＡＶ機器に対しネットワーク１を通して制御コマンドを送信する制御を行う
ネットワーク１に接続された全てのＡＶ機器を，操作画面上で１つの機器とみなして操作できるように出力機器及び又はソース機器をグラフィック表示する制御を行う
　
（カ）「【００４１】
図５は，ネットワークリセットが起きた直後に，表示装置１０のＡＶ機器操作表示処理を示すフローチャートであり，制御部２７により実行され
　
（キ）「【００４６】
次いで，
ステップＳ６で
操作パネル４１に表示されているＡＶ機器が，例えばカーソル操作で選択されたか否かを判別し，ＡＶ機器が選択操作されたときは，ステップＳ７で該当ＡＶ機器の表示状態を変えるとともに，指示動作を実行して本フローを終了する
この実行操作は，具体的には，表示装置１０からネットワーク１を通じてソース機器に制御コマンドが送信され，該当するソース機器が制御コマンドに従った動作（例えば，再生）を開始する
　
（ク）「【００４８】
図６は，
出力機器５１をグルーピングした場合の操作パネル４１の表示例を示す
カーソル操作等で，出力したい機器を選択した状態は図６で示され
ここでは，ＴＶとＡＭＰ１が選択された状態（網がけ部分参照）を示し
この場合，ＴＶは音に関してミュート（消音）され，またＴＶに対して音量アップなどのリモコン操作をした場合，ＴＶの音量は動作せず，ＡＭＰ１の音量アップの動作が行われ
【００４９】
図７は，図４におけるソース機器５２表示の部分を他の表示形態に変更した場合を示す
６１はＢＳ１，ＢＳ２，映画１などのコンテンツ，６２は各コンテンツに対応するソース機器である
ここでは，所望のコンテンツをカーソル操作等で選択できるようになって
このように，ソース機器５２が表示装置１０に利用可能なコンテンツを通知したので，
メディアやソース機器を意識しないでコンテンツを選択でき
【００５０】
図７において，
選択したコンテンツを実行操作すると，ネットワーク１を通じて表示装置１０からソース機器に制御コマンド（ここでは再生コマンド）が送信され，再生を開始
【００５１】
以上は，図４における出力機器５１を選択して実行した場合の例であるが，ソース機器５２を選択して実行した場合にも同様の操作が可能である。
また，図７に示すようにソース機器５２のコンテンツを表示するために，ソース機器５２は，ネットワーク１に接続されたとき，あるいは，表示装置１０の要求に応じて図８に示すコンテンツ情報を送信する。
【００５２】
図８は，ソース機器５２が，ネットワーク１に接続されたとき，あるいは，表示装置１０の要求に応じて送信するコンテンツ情報７０を示す図である。
図９は，表示装置１０の表示画面４０に表示される操作パネルの他の表示例を示す図である
【００５３】
表示装置１０は，リモコン操作などで図９に示す操作パネル４２を呼び出す。
図９に示す操作パネル４２は，出力機器５５の領域５５Ａとソース機器５６の領域５６Ａとに分かれており，操作パネル４２で出力やソースを選択することができ
【００５４】
図９のソース機器５６の表示は，前記図７に示すように表示することもでき
図７の場合と同様に，ソース機器，あるいはソース機器のコンテンツを，ドラッグ・アンド・ドロップ操作で出力機器のアイコンにドロップすることで再生を開始する
　
　上記摘記事項（ア）〜（ク）の記載及び図面の記載からみて，引用例１には，以下のとおりの発明（以下，「引用例１発明」という。）が記載されていると認められる。
　
「アイコン，グラフィック，文字等による情報そのものや，この情報を表示させるＧＵＩ機能を有する表示装置を含む複数のＡＶ機器を相互にデジタルインタフェースでデイジーチェーン接続して構成され，かつ，ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４規格のデジタルインタフェースで各種機器を接続するネットーク１と，ネットワーク１上に接続されたグラフィク機能及びホスト機能を持つ表示装置１０と，ネットワーク１上に接続された複数のＡＶ機器であるＤ−ＶＨＳ１１，ＤＶＤ（Ｄｉｇｉｔａｌ　Ｖｅｒｓａｔｉｌｅ　Ｄｉｓｃ）１２，ＢＳチューナ１３，アンプ（ＡＭＰ＜１＞）１４，（ＡＭＰ＜２＞）１５とを備えて構成されるＡＶ機器コントロールシステムにおける表示装置１０であって，
　ネットワークリセットを検知するネットワーク監視部２１，各ＡＶ機器からの情報を送受信する通信部２２（通信手段），各ＡＶ機器から送信された識別情報及び入出力情報をデバイスリストとして記憶するデバイスリスト記憶部２３（デバイスリスト記憶手段），操作画面上にグラフィック表示された出力機器及びソース機器から，操作しようとする機器及び操作キーを選択する入力部２４（入力手段），画面上に映像の他にグラフィック表示可能な表示デバイス２５（表示手段），リモコン受光部２６及び上記各構成要素を制御する制御部２７（制御手段）を備えて構成され，
　通信部２２は，ネットワーク１の他のＡＶ機器とデータのやり取りを行う通信装置であり，
　入力部２４は，ユーザからの入力を受け付ける入力操作を行うキーボード及びリモコン装置２８の十字キー等からなる入力装置であり，ＡＶ機器及び操作の選択・実行等の入力を行い，
　表示デバイス２５は，ユーザに対してユーザインタフェースや映像を表示するＣＲＴやＬＣＤ等の表示画面４０と，図示しない画像メモリ，ＯＳＤ（オン・スクリーン・ディスプレイ）発生部，コントローラ部とを備えて構成され，
　制御部２７は，ネットワーク１に接続されたＡＶ機器を，少なくとも出力機器とソース機器とに分けて表示デバイス２５の操作画面上にグラフィック表示するとともに，操作画面上で操作されたＡＶ機器に対しネットワーク１を通して制御コマンドを送信する制御を行い，ネットワーク１に接続された全てのＡＶ機器を，操作画面上で１つの機器とみなして操作できるように出力機器及び又はソース機器をグラフィック表示する制御を行い，
　図５は，ネットワークリセットが起きた直後に，表示装置１０のＡＶ機器操作表示処理を示すフローチャートであり，制御部２７により実行されるものであり，
　ステップＳ６で操作パネル４１に表示されているＡＶ機器が，例えばカーソル操作で選択されたか否かを判別し，ＡＶ機器が選択操作されたときは，ステップＳ７で該当ＡＶ機器の表示状態を変えるとともに，指示動作を実行して本フローを終了し，この実行操作は，具体的には，表示装置１０からネットワーク１を通じてソース機器に制御コマンドが送信され，該当するソース機器が制御コマンドに従った動作（例えば，再生）を開始するものであり，
　図６は，出力機器５１をグルーピングした場合の操作パネル４１の表示例を示し，
　カーソル操作等で，出力したい機器を選択した状態は図６で示され，ここでは，ＴＶとＡＭＰ１が選択された状態（網がけ部分参照）を示し，この場合，ＴＶは音に関してミュート（消音）され，またＴＶに対して音量アップなどのリモコン操作をした場合，ＴＶの音量は動作せず，ＡＭＰ１の音量アップの動作が行われ，
　図７は，図４におけるソース機器５２表示の部分を他の表示形態に変更した場合を示し，６１はＢＳ１，ＢＳ２，映画１などのコンテンツ，６２は各コンテンツに対応するソース機器であり，ここでは，所望のコンテンツをカーソル操作等で選択できるようになっており，メディアやソース機器を意識しないでコンテンツを選択でき，
　選択したコンテンツを実行操作すると，ネットワーク１を通じて表示装置１０からソース機器に制御コマンド（ここでは再生コマンド）が送信され，再生を開始し，
　図９は，表示装置１０の表示画面４０に表示される操作パネルの他の表示例を示す図であり，
　図９に示す操作パネル４２は，出力機器５５の領域５５Ａとソース機器５６の領域５６Ａとに分かれており，操作パネル４２で出力やソースを選択することができ，
　図９のソース機器５６の表示は，前記図７に示すように表示することもでき，図７の場合と同様に，ソース機器，あるいはソース機器のコンテンツを，ドラッグ・アンド・ドロップ操作で出力機器のアイコンにドロップすることで再生を開始することができる
　ＡＶ機器コントロールシステムにおける表示装置１０。」
　
（２）引用例２記載の事項
　同じく，当審において，平成２３年３月１６日付けで通知した拒絶の理由において引用した「特開平７−１４６７７４号公報」（以下，「引用例２」という。）には，図面とともに，次の（ケ）〜（サ）の事項が記載されている。（下線は当審において付加したものである。）
　
（ケ）「【０００１】
【産業上の利用分野】本発明は良好な操作環境を与える電子機器の操作インタフェースに関し，特に
ＴＶ画面等のグラフィックディスプレイを介して操作を行なうインタフェース
　
（コ）「【００１２】
【実施例】以下，本発明の実施例について説明する。本実施例は，
家庭内のＡＶシステム
ＡＶシステムの構成には，テレビ，ビデオ，ＣＤプレーヤなどの機能が含まれる
　
（サ）「【００１４】図２に示すのは，本実施例による
操作用画面の
画面下方に並んでいるのは選択可能な項目を示すアイコンであり，画面中央の矢印は，項目間の関連を表現するピクトグラフである
アイコンはそれぞれポインティングデバイスによって指定することが可能である
例
テレビを表すアイコンを矢印の左側に，ビデオを表すアイコンを矢印の右側に配置し
「テレビ番組をビデオテープに録画する」というアクションが起動され
矢印の形で一般的に示されていたピクトグラフはここで機能が確定し，「録画する」という機能を実行する
【００１５】ここでの表示画面の例は，ＴＶやビデオ，ＣＤなどが一体になった機器を想定しているが，他の操作としては矢印の左側にＣＤのアイコン，右側に視聴者を示す人のアイコンを置くことによって，ＣＤを聞くという目的を指示できる。同様の方法で，ＦＡＸがシステム中に組み込まれた場合には，ＦＡＸを表すアイコンが選択可能となり，ＦＡＸとテレビとを指定することによって，受信ＦＡＸをテレビ画面に出力するなどの操作を指定できる。
【００１６】
画面上に提示されるアイコンは固定的なものではなく，状況によって変化するものである
【００１７】画面中に提示されるアイコンの組み合わせが変化するもう１つの場合は，
矢印の両側に２つ指定できるアイコンのうち一方のみを指定したときに，他方に選択可能なアイコンが判別できるように表示が変化する
例えば
左側のテレビのみが指定された場合は，ビデオと人のみが選択可能である
テレビをソースとする目的としては，テレビ番組をビデオ録画するか，テレビ番組を試聴するかのいずれかの目的が一般的であるからである
テレビからラジオへの伝達は無意味であり，選択不可能である
表示の変化としては，選択可能なものをハイライトする，あるいは選択不可能なものを表示から消したり目立たないようにする方法がある
【００１８】以上の例では矢印で一般的に代表されていたピクトグラフは先に与えられているものとしたが，
ピクトグラフが機能を限定することができる
ピクトグラフの指定をアイコンの指定に先だって行うことができる
例えば
音の流れを示すピクトグラフを先に指定し，人のアイコンを右側に配置することによって，左側に配置すべきアイコンが限定され，ラジオ，ＣＤ，カセットのみになる
これら３つは共に音声信号を出力可能なデバイスであり
選択可能なアイコンを限定して表示することにより，操作における心的負担を軽減することができる
　
（ａ）上記摘記事項（ケ）〜（サ）の記載からみて，引用例２には，次の事項が記載されていると認められる。
「テレビ，ビデオ，ＣＤプレーヤなどの機能が含まれる家庭内のＡＶシステムにおいて，ＴＶ画面等のグラフィックディスプレイを介して操作を行なうインタフェースであって，当該インタフェースは，操作用画面の下方に表示された選択可能な項目を示すアイコンの中から所望の項目のアイコンを選択して，項目間の関連を表現するピクトグラフの両側に配置することにより，配置されたアイコンに応じた所定の機能を実行することができるものであり，例えば，音の流れの機能を限定することができるピクトグラフの指定を，アイコンの指定に先だって行うこともできる。」（以下，「引用例２記載事項Ａ」という。）
　
　また，引用例２には，次の事項も記載されていると認められる。
「ピクトグラフの両側のアイコンのうちの一方を指定したときに，他方の項目として選択可能なアイコンのみをハイライト表示して選択可能とし，また，例えば音の流れを示すピクトグラフを先に指定し，人のアイコンを右側に配置した場合には，左側に配置すべきアイコンとして，ラジオ，ＣＤ，カセットといった音声信号を出力可能なデバイスのみが表示される。」（以下，「引用例２記載事項Ｂ」という。）
　
４．対比
　本願発明と引用例１発明とを対比する。
　
（ａ）引用例１発明の「操作パネル４２」は「グラフィックユーザインターフェース」であるということができ，また，「操作パネル４２」の「出力機器５５の領域５５Ａとソース機器５６の領域５６Ａ」は「出力機器」と「ソース機器」という「お互い異質的な対象をその目的とする複数の領域」であるということができる。
　そして，引用例１発明の「領域５５Ａ」及び「領域５６Ａ」が本願発明の「カラム」に相当するから，引用例１発明の「出力機器５５の領域５５Ａとソース機器５６の領域５６Ａ」が，本願発明の「グラフィックユーザインターフェース上にあるお互い異質的な対象をその目的とする複数のカラム」に相当する。
　また，引用例１発明において，「入力部２４は，ユーザからの入力を受け付ける入力操作を行うキーボード及びリモコン装置２８の十字キー等からなる入力装置であり，ＡＶ機器及び操作（少なくとも一つの項目）の選択・実行等の入力を行」うものであり，「操作パネル４１に表示されているＡＶ機器（少なくとも一つの項目）」は，「例えばカーソル（本願発明における「セレクター」に相当する）操作で選択され」るものである。そして，「リモコン受光部２６」が，リモコン装置２８から「カーソル（セレクター）操作で選択」するために「カーソル（セレクター）の移動命令または選択命令を受信する」ものであることは自明のことであるから，引用例１発明の「リモコン受光部２６」は「少なくとも一つの項目を選択するためのセレクターの移動命令または選択命令を受信する」機能を備えているということができる。
　してみれば，引用例１発明の「表示装置１０」は，「グラフィックユーザインターフェース上にあるお互い異質的な対象をその目的とする複数のカラムのうち少なくとも一つのカラムの項目を選択するためのセレクターの移動命令または選択命令を受信する命令受信部」を備えているということができる。
　
（ｂ）引用例１発明において，「図９は，表示装置１０の表示画面４０に表示される操作パネル（グラフィックユーザインターフェース）の他の表示例を示す図であり，図９に示す操作パネル４２は，出力機器５５の領域５５Ａ（カラム）とソース機器５６の領域５６Ａ（カラム）とに分かれて」いるものであるから，本願発明の「前記活性化されたカラムの項目を，前記グラフィックユーザインターフェースを利用して出力するディスプレイ部」と引用例１発明の「表示画面４０」とは後記する点で相違するものの，ともに，「カラムの項目を，前記グラフィックユーザインターフェースを利用して出力するディスプレイ部」である点で共通する。
　
（ｃ）引用例１発明において，表示装置１０の制御部２７は，「ネットワーク１に接続されたＡＶ機器を，少なくとも出力機器とソース機器と（の２つのカラム）に分けて表示デバイス２５の操作画面上にグラフィック表示する（出力する）とともに，操作画面上で操作された（選択された）ＡＶ機器（項目）に対しネットワーク１を通して制御コマンド（本願発明における「命令メッセージ」に相当する）を送信する制御を行」うものであり，当該制御コマンド（命令メッセージ）が，表示装置１０の「通信部２２」を介してネットワーク１に送信（伝達）されることは明らかであるから，本願発明の「出力された前記活性化されたカラムの項目選択に従って命令メッセージを伝達する送受信部」と引用例１発明の「通信部２２」とは後記する点で相違するものの，ともに，「出力されたカラムの項目選択に従って命令メッセージを伝達する送受信部」である点で共通する。
　
（ｄ）上記（ａ）に記載したとおり，引用例１発明の「領域５５Ａ」及び「領域５６Ａ」が本願発明の「カラム」に相当し，また，引用例１発明の「出力機器５５の領域５５Ａとソース機器５６の領域５６Ａ」が，本願発明の「グラフィックユーザインターフェース上にあるお互い異質的な対象をその目的とする複数のカラム」に相当する。
　そして，引用例１発明では，「図７は，図４におけるソース機器５２表示の部分を他の表示形態に変更した場合を示し，６１はＢＳ１，ＢＳ２，映画１などのコンテンツ，６２は各コンテンツに対応するソース機器であり，ここでは，所望のコンテンツをカーソル操作等で選択できるようになっており，メディアやソース機器を意識しないでコンテンツを選択でき」るものであり，「図９のソース機器５６の表示は，前記図７に示すように表示することもでき，図７の場合と同様に，ソース機器，あるいはソース機器のコンテンツを，ドラッグ・アンド・ドロップ操作で出力機器のアイコンにドロップすることで再生を開始することができる」ものであるから，引用例１発明において「図９のソース機器５６の表示を図７に示すように表示したもの」が本願発明の「コンテンツ種類のカラム」に相当する。
　また，引用例１発明の「出力機器５５」が本願発明の「対象機器」に相当するから，引用例１発明の「出力機器５５の領域５５Ａ」が本願発明の「対象機器のカラム」に相当する。
　してみれば，本願発明と引用例１発明とは，「カラムは，コンテンツの種類及び対象機器を含む」点で共通する。
　
（ｅ）引用例１発明の「表示装置１０」は，「通信部２２」「入力部２４」「表示デバイス２５」及び「制御部２７」を備えて構成され，「制御部２７は，ネットワーク１に接続されたＡＶ機器を，少なくとも出力機器とソース機器とに分けて表示デバイス２５の操作画面上にグラフィック表示する（グラフィックユーザインターフェースを提供する）とともに，操作画面上で操作されたＡＶ機器に対しネットワーク１を通して制御コマンドを送信する制御を行い，ネットワーク１に接続された全てのＡＶ機器を，操作画面上で１つの機器とみなして操作できるように出力機器及び又はソース機器をグラフィック表示する制御を行」うものであるから，引用例１発明の「表示装置１０」は「グラフィックユーザインターフェースを提供する装置」であるということができる。
　また，引用例１発明において，「操作パネル４２（グラフィックユーザインターフェース）は，出力機器５５の領域５５Ａ（カラム）とソース機器５６の領域５６Ａ（カラム）とに分かれて」いるものであるから，引用例１発明の操作パネル（グラフィックユーザインターフェース）は，「複数のカラムで構成された」ものであるということができる。
　してみれば，引用例１発明の「表示装置１０」は本願発明の「複数のカラムで構成されたグラフィックユーザインターフェースを提供する装置」に相当する。
　
　そうすると，本願発明と引用例１発明とは，
「グラフィックユーザインターフェース上にあるお互い異質的な対象をその目的とする複数のカラムのうち少なくとも一つのカラムの項目を選択するためのセレクターの移動命令または選択命令を受信する命令受信部と，
　カラムの項目を，前記グラフィックユーザインターフェースを利用して出力するディスプレイ部と，
　出力されたカラムの項目選択に従って命令メッセージを伝達する送受信部と，
を備え，
　前記カラムは，コンテンツ種類及び対象機器を含む
ことを特徴とする複数のカラムで構成されたグラフィックユーザインターフェースを提供する装置。」
の点で一致し，以下の点で相違する。
　
［相違点１］
　本願発明では，「前記グラフィックユーザインターフェース上に既に表示されている他のカラムの項目に対する活性化の可否を前記選択されたカラムの項目に応じて決定し，前記選択されたカラムの項目に対して，二つ以上の他のカラムの項目を同時に選択可能に活性化する判断部」を備え，ディスプレイ部に出力される項目が「活性化されたカラムの項目」であり，送受信部が，「活性化されたカラムの項目」選択に従って命令メッセージを伝達するのに対して，引用例１発明はそのような構成になっていない点。
　
［相違点２］
　本願発明では，カラムが「作業命令を含む」のに対して，引用例１発明はそのようになっていない点。
　
５．当審の判断
　上記相違点について検討する。 
　
［相違点１］及び［相違点２］について
　引用例２には，「テレビ，ビデオ，ＣＤプレーヤなどの機能が含まれる家庭内のＡＶシステムにおいて，ＴＶ画面等のグラフィックディスプレイを介して操作を行なうインタフェースであって，当該インタフェースは，操作用画面の下方に表示された選択可能な項目を示すアイコンの中から所望の項目のアイコンを選択して，項目間の関連を表現するピクトグラフの両側に配置することにより，配置されたアイコンに応じた所定の機能を実行することができるものであり，例えば，音の流れの機能を限定することができるピクトグラフの指定を，アイコンの指定に先だって行うこともできる。」（引用例２記載事項Ａ）が記載されている。
　ここで，上記「ピクトグラフ」は，例えば「音の流れの機能を限定することができる」ものであるから，所定の機能（作業）を指定することができる点で，本願発明における「作業命令」に対応するものである。また，引用例２記載事項Ａの「ピクトグラフの両側に配置されるアイコン」は，例えばビデオやテレビ等であるから，本願発明における「対象機器」に対応する。
　そして，引用例１及び引用例２はいずれも，複数の機器から構成されるＡＶシステムにおいて各機器の動作をグラフィックユーザインターフェースを用いてコントロールする技術に関するものである点で共通しているから，引用例１発明に引用例２記載事項Ａを適用することには何ら困難性がなく，例えば音の流れの機能やその他の機能を限定することができるピクトグラフを，所定の領域（カラム）内に表示することにより，コンテンツ種類や対象機器の指定に加えて，作業命令の指定をも行うことができるようにすることには何ら困難性が無い。
　してみれば，引用例１発明において，領域５６Ａ（コンテンツ種類のカラム）及び領域５５Ａ（対象機器のカラム）に加えて，作業命令を指定するための項目を表示した領域（カラム）を設けることにより，「カラムが，作業命令，コンテンツ種類及び対象機器を含む」ように構成することには何ら困難性が無く，当業者が適宜なしえたことである。
　
　また，例えば，引用例２に「ピクトグラフの両側のアイコンのうちの一方を指定したときに，他方の項目として選択可能なアイコンのみをハイライト表示して選択可能とし，また，例えば音の流れを示すピクトグラフを先に指定し，人のアイコンを右側に配置した場合には，左側に配置すべきアイコンとして，ラジオ，ＣＤ，カセットといった音声信号を出力可能なデバイスのみが表示される。」（引用例２記載事項Ｂ）と記載されているように，「グラフィックユーザインターフェースの技術分野において，複数の選択肢の中から所定の選択肢を選択したときに，当該選択された選択肢に応じて次に選択可能な選択肢を決定し，当該決定された選択肢のみを選択可能に表示する（選択可能に活性化する）ことにより，ユーザによる選択を容易にすること」は周知技術である。
　また，引用例１発明は，「カーソル操作等で，出力したい機器を選択した状態は図６で示され，ここでは，ＴＶ（の項目）とＡＭＰ１（の項目）が（同時に）選択された状態（網がけ部分参照）を示し，この場合，ＴＶは音に関してミュート（消音）され，またＴＶに対して音量アップなどのリモコン操作をした場合，ＴＶの音量は動作せず，ＡＭＰ１の音量アップの動作が行われ」るものであるから，二つ以上の項目を「同時に」選択することもできるものである。
　してみれば，引用例１発明に引用例２記載事項Ａを適用して，「カラムが，作業命令，コンテンツ種類及び対象機器を含む」ように構成し，当該カラムの項目の選択に際して，上記周知技術を適用して，「前記グラフィックユーザインターフェース上に既に表示されている他のカラムの項目に対する活性化の可否を前記選択されたカラムの項目に応じて決定し，前記選択されたカラムの項目に対して，二つ以上の他のカラムの項目を同時に選択可能に活性化する判断部」を備えるように構成することには何ら困難性が無く，当業者が適宜なしえたことである。
　また，これに対応して，ディスプレイ部に出力される項目を「活性化されたカラムの項目」とし，送受信部が，「活性化されたカラムの項目」選択に従って命令メッセージを伝達するように構成することにも何ら困難性が無く，当業者が適宜なしえたことである。
　
　したがって，相違点１及び相違点２に係る本願発明の構成は，引用例１発明，引用例２記載事項Ａ，及び周知技術に基づいて当業者が容易に想到しえたものである。
　
　そして，本願発明の作用効果も，引用例１発明，引用例２記載事項Ａ，及び周知技術から当業者が予測できる範囲のものである。
　
　よって，本願発明は，引用例１発明，引用例２記載事項Ａ，及び周知技術に基づいて当業者が容易に発明をすることができたものである。
　
６．むすび 
　以上のとおり，本願発明は，引用例１発明，引用例２記載事項Ａ，及び周知技術に基づいて，当業者が容易に発明をすることができたものであるから，特許法第２９条第２項の規定により特許を受けることができない。
　
　よって，結論のとおり審決する。